(57)【要約】【課題】本発明は、結婚披露宴等のイベントにおいて複数のカメラマンを雇うことなく多方向から多彩な撮影ができ、イベント経費を削減することができる撮影システム、情報処理装置及びその処理方法、並びにプログラムを提供する。【解決手段】本撮影システムは、複数のビデオカメラ１００ａ〜１００ｆと、ＬＡＮ等のネットワーク１５０に接続されたパーソナルコンピュータから成る操作端末１２０と、該ネットワーク１５０に接続されたサーバ１３０とを備え、操作端末１２０から撮影指示を受信したサーバ１３０が、結婚披露宴等のイベント会場に予め設置された複数のビデオカメラ１００ａ〜１００ｆに対してカメラワークテーブル６００に基づく撮影動作の指示をネットワーク１５０を介して送信し、各ビデオカメラ１００ａ〜１００ｆにそれぞれ所定の撮影動作を実行させる。【選択図】      図４
2004194203.tif 000002
【特許請求の範囲】
【請求項１】
ユーザの操作により撮影指示を送信する操作端末と、前記送信された撮影指示を受信する情報処理装置と、所定の撮影動作を行う複数の撮影装置とがネットワークを介して互いに接続された撮影システムにおいて、
前記情報処理装置は、前記複数の撮影装置にそれぞれ前記撮影動作を実行させるための指示情報を記憶する指示情報記憶手段と、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段とを備え、
前記複数の撮影装置は、前記指示された撮影動作により撮影を行う撮影手段と、
撮影した撮影情報を前記情報処理装置に順次送信する送信手段とをそれぞれ備えることを特徴とする撮影システム。
【請求項２】
ユーザの操作により撮影指示を送信する操作端末と、所定の撮影動作を行う撮影装置に接続され、前記送信された撮影指示を受信する情報処理装置とがネットワークを介して互いに接続された撮影システムにおいて、
前記情報処理装置は、前記撮影装置に前記撮影動作を実行させるための指示情報を記憶する指示情報記憶手段と、
前記操作端末から受信した撮影指示に応じて前記指示情報記憶手段を参照し、当該指示情報記憶手段に記憶された指示情報に基づく前記撮影動作を前記撮影装置に指示する指示手段とを備え、
前記撮影装置は、前記指示された撮影動作により撮影を行う撮影手段と、
撮影した撮影情報を一時記憶する撮影情報記憶手段とを備えることを特徴とする撮影システム。
【請求項３】
ユーザの操作により撮影指示を送信する操作端末と、所定の撮影動作を行う複数の撮影装置とにネットワークを介して接続された情報処理装置において、
前記複数の撮影装置にそれぞれ前記撮影動作を実行させるための指示情報を記憶する指示情報記憶手段と、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、
前記複数の撮影装置からそれぞれ送信された撮影情報を順次受信する受信手段とを備えることを特徴とする情報処理装置。
【請求項４】
前記複数の撮影装置のうちの少なくとも１つで発生した障害を検知する検知手段と、
前記複数の撮影装置のうちの障害が発生していないものに、前記撮影動作のうちの他の撮影動作を実行させるための他の指示情報を記憶する他の指示情報記憶手段と、
前記検知された障害に応じて前記他の指示情報記憶手段を参照し、当該他の指示情報記憶手段に記憶された他の指示情報に基づく他の撮影動作を前記複数の撮影装置のうちの障害が発生していないものにそれぞれ指示するための他の指示情報を生成する指示情報生成手段とを備えることを特徴とする請求項３記載の情報処理装置。
【請求項５】
前記他の撮影動作の指示は、前記複数の撮影装置に与えられた優先度に応じて行われることを特徴とする請求項４記載の情報処理装置。
【請求項６】
前記複数の撮影装置から送信された撮影情報を当該撮影装置毎に順次記憶する撮影情報記憶手段を備えることを特徴とする請求項３乃至５のいずれか１項に記載の情報処理装置。
【請求項７】
ユーザの操作により撮影指示を送信する操作端末と、所定の撮影動作を行う複数の撮影装置とにネットワークを介して接続された情報処理装置において、
前記複数の撮影装置にそれぞれ前記撮影動作を実行させるための指示情報を記憶する指示情報記憶手段と、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、
前記複数の撮影装置にそれぞれ一時記憶された撮影情報を前記撮影動作の終了に応じて当該複数の撮影装置から一括して受信する受信手段とを備えることを特徴とする情報処理装置。
【請求項８】
前記ネットワークを介して他の情報処理装置に接続され、前記一時記憶された撮影情報を前記撮影動作の終了に応じて前記複数の撮影装置から一括して前記他の情報処理装置に送信することを特徴とする請求項７記載の情報処理装置。
【請求項９】
ユーザの操作により撮影指示を送信する操作端末と、所定の撮影動作を行う複数の撮影装置とにネットワークを介して接続され、前記複数の撮影装置にそれぞれ前記撮影動作を実行させるための指示情報を記憶する指示情報記憶手段を備える情報処理装置の処理方法において、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示工程と、
前記複数の撮影装置からそれぞれ送信された撮影情報を順次受信する受信工程とを備えることを特徴とする情報処理装置の処理方法。
【請求項１０】
ユーザの操作により撮影指示を送信する操作端末と、所定の撮影動作を行う複数の撮影装置とにネットワークを介して接続された情報処理装置の処理方法において、
前記複数の撮影装置にそれぞれ前記撮影動作を実行させるための指示情報を記憶する指示情報記憶工程と、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示工程と、
前記複数の撮影装置にそれぞれ一時記憶された撮影情報を前記撮影動作の終了に応じて当該複数の撮影装置から一括して受信する受信工程とを備えることを特徴とする情報処理装置の処理方法。
【請求項１１】
ユーザの操作により撮影指示を送信する操作端末と、所定の撮影動作を行う複数の撮影装置とにネットワークを介して接続され、前記複数の撮影装置にそれぞれ前記撮影動作を実行させるための指示情報を記憶する指示情報記憶手段を備える情報処理装置の処理方法を実現するためのプログラムにおいて、
前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、
前記複数の撮影装置からそれぞれ送信された撮影情報を順次記憶する記憶手段として機能させることを特徴とするプログラム。
【請求項１２】
ユーザの操作により撮影指示を送信する操作端末と、所定の撮影動作を行うと共に撮影情報を一時記憶する複数の撮影装置とネットワークを介して互いに接続され、前記複数の撮影装置にそれぞれ前記撮影動作を実行させるための指示情報を記憶する指示情報記憶手段を備える情報処理装置の処理方法を実現するためのプログラムにおいて、
前記操作端末から取得した撮影指示に応じて前記指示情報記憶手段を参照し、当該指示情報記憶手段に記憶された指示情報に基づく前記撮影動作を前記複数の撮影装置それぞれに指示する指示手段と、
前記複数の撮影装置より受信した撮影情報を前記撮影動作の終了に応じて一括して記憶する記憶手段として機能させることを特徴とするプログラム。
【発明の詳細な説明】
【０００１】
【発明の属する技術分野】
本発明は、撮影システム、情報処理装置及びその処理方法、並びにプログラムに関し、特に、結婚披露宴等のイベントの撮影に用いられる撮影システム、情報処理装置及びその処理方法、並びにプログラムに関する。
【０００２】
【従来の技術】
従来、結婚披露宴等のイベントの撮影には、業者のカメラマンによるビデオ撮影が行われている。また、予め特定された撮影対象を識別しながら撮影を行うサービスが提案されている（例えば、特許文献１参照）。
【０００３】
【特許文献１】
特開２００２−１５８９９０号公報
【０００４】
【発明が解決しようとしている課題】
しかしながら、上記従来のイベント撮影では、カメラマンが一人で撮影する場合、撮影対象に対して１又は２方向からしか撮影することができず、多方向から撮影を行うには多くのカメラマンを雇う必要があり、相当な人件費を要するという問題がある。
【０００５】
また、上記特許文献１に示す撮影方法では、識別された撮影対象がある程度撮影されると、それ以降撮影されなくなってしまうという問題がある。また、静止画撮影のために撮影対象が望まない画像も撮影されるという問題がある。
【０００６】
本発明は、上記問題に鑑みて成されたものであり、結婚披露宴等のイベントにおいて複数のカメラマンを雇うことなく多方向から多彩な撮影ができ、イベント経費を削減することができる撮影システム、情報処理装置及びその処理方法、並びにプログラムを提供することを目的とする。
【０００７】
【課題を解決するための手段】
上記目的を達成するために、請求項１記載の撮影システムは、ユーザの操作により撮影指示を送信する操作端末と、前記送信された撮影指示を受信する情報処理装置と、所定の撮影動作を行う複数の撮影装置とがネットワークを介して互いに接続された撮影システムにおいて、前記情報処理装置は、前記複数の撮影装置にそれぞれ前記撮影動作を実行させるための指示情報を記憶する指示情報記憶手段と、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段とを備え、前記複数の撮影装置は、前記指示された撮影動作により撮影を行う撮影手段と、撮影した撮影情報を前記情報処理装置に順次送信する送信手段とをそれぞれ備えることを特徴とする。
【０００８】
上記目的を達成するために、請求項２記載の撮影システムは、ユーザの操作により撮影指示を送信する操作端末と、所定の撮影動作を行う撮影装置に接続され、前記送信された撮影指示を受信する情報処理装置とがネットワークを介して互いに接続された撮影システムにおいて、前記情報処理装置は、前記撮影装置に前記撮影動作を実行させるための指示情報を記憶する指示情報記憶手段と、前記操作端末から受信した撮影指示に応じて前記指示情報記憶手段を参照し、当該指示情報記憶手段に記憶された指示情報に基づく前記撮影動作を前記撮影装置に指示する指示手段とを備え、前記撮影装置は、前記指示された撮影動作により撮影を行う撮影手段と、撮影した撮影情報を一時記憶する撮影情報記憶手段とを備えることを特徴とする。
【０００９】
上記目的を達成するために、請求項３記載の情報処理装置は、ユーザの操作により撮影指示を送信する操作端末と、所定の撮影動作を行う複数の撮影装置とにネットワークを介して接続された情報処理装置において、前記複数の撮影装置にそれぞれ前記撮影動作を実行させるための指示情報を記憶する指示情報記憶手段と、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、前記複数の撮影装置からそれぞれ送信された撮影情報を順次受信する受信手段とを備えることを特徴とする。
【００１０】
請求項４記載の情報処理装置は、請求項３記載の情報処理装置において、前記複数の撮影装置のうちの少なくとも１つで発生した障害を検知する検知手段と、前記複数の撮影装置のうちの障害が発生していないものに、前記撮影動作のうちの他の撮影動作を実行させるための他の指示情報を記憶する他の指示情報記憶手段と、前記検知された障害に応じて前記他の指示情報記憶手段を参照し、当該他の指示情報記憶手段に記憶された他の指示情報に基づく他の撮影動作を前記複数の撮影装置のうちの障害が発生していないものにそれぞれ指示するための他の指示情報を生成する指示情報生成手段とを備えることを特徴とする。
【００１１】
請求項５記載の情報処理装置は、請求項４記載の情報処理装置において、前記他の撮影動作の指示は、前記複数の撮影装置に与えられた優先度に応じて行われることを特徴とする。
【００１２】
請求項６記載の情報処理装置は、請求項３乃至５のいずれか１項に記載の情報処理装置において、前記複数の撮影装置から送信された撮影情報を当該撮影装置毎に順次記憶する撮影情報記憶手段を備えることを特徴とする。
【００１３】
上記目的を達成するために、請求項７記載の情報処理装置は、ユーザの操作により撮影指示を送信する操作端末と、所定の撮影動作を行う複数の撮影装置とにネットワークを介して接続された情報処理装置において、前記複数の撮影装置にそれぞれ前記撮影動作を実行させるための指示情報を記憶する指示情報記憶手段と、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、前記複数の撮影装置にそれぞれ一時記憶された撮影情報を前記撮影動作の終了に応じて当該複数の撮影装置から一括して受信する受信手段とを備えることを特徴とする。
【００１４】
請求項８記載の情報処理装置は、請求項７記載の情報処理装置において、前記ネットワークを介して他の情報処理装置に接続され、前記一時記憶された撮影情報を前記撮影動作の終了に応じて前記複数の撮影装置から一括して前記他の情報処理装置に送信することを特徴とする。
【００１５】
上記目的を達成するために、請求項９記載の情報処理装置の処理方法は、ユーザの操作により撮影指示を送信する操作端末と、所定の撮影動作を行う複数の撮影装置とにネットワークを介して接続され、前記複数の撮影装置にそれぞれ前記撮影動作を実行させるための指示情報を記憶する指示情報記憶手段を備える情報処理装置の処理方法において、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示工程と、前記複数の撮影装置からそれぞれ送信された撮影情報を順次受信する受信工程とを備えることを特徴とする。
【００１６】
上記目的を達成するために、請求項１０記載の情報処理装置の処理方法は、ユーザの操作により撮影指示を送信する操作端末と、所定の撮影動作を行う複数の撮影装置とにネットワークを介して接続された情報処理装置の処理方法において、前記複数の撮影装置にそれぞれ前記撮影動作を実行させるための指示情報を記憶する指示情報記憶工程と、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示工程と、前記複数の撮影装置にそれぞれ一時記憶された撮影情報を前記撮影動作の終了に応じて当該複数の撮影装置から一括して受信する受信工程とを備えることを特徴とする。
【００１７】
上記目的を達成するために、請求項１１記載のプログラムは、ユーザの操作により撮影指示を送信する操作端末と、所定の撮影動作を行う複数の撮影装置とにネットワークを介して接続され、前記複数の撮影装置にそれぞれ前記撮影動作を実行させるための指示情報を記憶する指示情報記憶手段を備える情報処理装置の処理方法を実現するためのプログラムにおいて、前記操作端末から受信した撮影指示に応じて前記指示情報記憶手段を参照し、当該指示情報記憶手段に記憶された指示情報に基づく前記撮影動作を前記複数の撮影装置にそれぞれ指示する指示手段と、前記複数の撮影装置からそれぞれ送信された撮影情報を順次記憶する記憶手段として機能させることを特徴とする。
【００１８】
上記目的を達成するために、請求項１２記載のプログラムは、ユーザの操作により撮影指示を送信する操作端末と、所定の撮影動作を行うと共に撮影情報を一時記憶する複数の撮影装置とネットワークを介して互いに接続され、前記複数の撮影装置にそれぞれ前記撮影動作を実行させるための指示情報を記憶する指示情報記憶手段を備える情報処理装置の処理方法を実現するためのプログラムにおいて、前記操作端末から取得した撮影指示に応じて前記指示情報記憶手段を参照し、当該指示情報記憶手段に記憶された指示情報に基づく前記撮影動作を前記複数の撮影装置それぞれに指示する指示手段と、前記複数の撮影装置より受信した撮影情報を前記撮影動作の終了に応じて一括して記憶する記憶手段として機能させることを特徴とする。
【００１９】
【発明の実施の形態】
以下、本発明の実施の形態を図面を参照して説明する。
【００２０】
（第１の実施の形態）
図１は、本発明の第１の実施の形態に係る撮影システムの全体構成を示す図である。
【００２１】
図１において、本撮影システムは、複数のデジタルビデオカメラ（以下、単に「ビデオカメラ」という。）１００ａ〜１００ｆと、ＬＡＮ（Local Area Network）等のネットワーク１５０に接続されたパーソナルコンピュータから成る操作端末１２０と、該ネットワーク１５０に接続されたサーバコンピュータ（以下、単に「サーバ」という。）１３０と、サーバ１３０に接続された記憶装置から成るデータベース１４０（記憶手段）とを備える。
【００２２】
ビデオカメラ１００ａ〜１００ｆは、それぞれが被写体を音声を含む動画や静止画としてズーム／ワイド撮影する機能を備える（撮影手段）。また、ビデオカメラ１００ａ〜１００ｆは、それぞれがネットワーク１５０に接続して操作端末１２０やサーバ１３０と通信を行うための通信インターフェース（送信手段）を備え、撮影した画像データや音声データ等の撮影情報をサーバ１２０に送信することができる。
【００２３】
操作端末１２０は、表示及び操作装置としてタッチパネルを備え、ユーザが当該タッチパネルを操作することによりズーム撮影やワイド撮影等の撮影指示をサーバ１３０に送信する。操作端末１２０は、画面を見ながら一人で操作が行えるものであれば、パーソナルコンピュータに限らず、携帯電話やＰＤＡ（Personal
Digital Assistant）であってもよい。
【００２４】
本撮影システムでは、ビデオカメラ１００ａ〜１００ｆは、例えば、結婚披露宴等のイベント会場内で新郎新婦やスピーチ者、会場全体等を多方向から撮影すべく所定の位置に設置されている。サーバ１３０及びデータベース１４０は、イベント会場内に設置されていてもよいが、インターネットや公衆回線を通じてイベント会場外に設置されていてもよい。
【００２５】
図２は、図１におけるサーバ１３０の内部構成を示すブロック図である。
【００２６】
図２において、サーバ１３０は、ＣＰＵ２０１（指示・検知手段）と、ＲＡＭ２０２と、ＲＯＭ２０３と、ＬＡＮアダプタ２０４と、ビデオアダプタ２０５と、カメラ通信インターフェース（Ｉ／Ｆ）２０６と、第１入力部（キーボード）２０７と、第２入力部（マウス）２０８と、ハードディスク２０９と、ＣＤ−ＲＯＭドライブ２１０とを備え、これらがシステムバス２１５を介して互いに接続されている。
【００２７】
ＣＰＵ２０１は、ＲＯＭ２０３又はハードディスク２０９に記憶された所定のプログラムを読み出して後述する図４、図５、及び図１１に示す処理を実行する。
【００２８】
図３は、図１における操作端末１２０上のタッチパネルの概略を示す図である。
【００２９】
図３において、操作端末１２０上のタッチパネル３００は、ビデオカメラ１００ａ〜１００ｆに所定の撮影を指示するための入場キー３０１、スピーチキー３０２、乾杯キー３０３、ケーキカットキー３０４、余興キー３０５、退場キー３０６と共に、撮影開始キー３０７、撮影終了キー３０８、及び撮影停止キー３０９を備える。操作端末１２０は、ユーザがタッチパネル３００上のキーをタッチすると、入力されたキーに応じた撮影指示をサーバ１３０に送信する。
【００３０】
図４及び図５は、図１の撮影システムにおける撮影処理を示すフローチャートである。本処理は、サーバ１３０内のＣＰＵ２０１によりＲＯＭ２０３又はハードディスク２０９から読み出されたプログラムに基づいて、操作端末１２０及びビデオカメラ１００ａ〜１００ｆと協働して実行される。
【００３１】
図４において、操作端末１２０は、ユーザがタッチパネル３００を操作することによりネットワーク１５０を介してサーバ１３０に所定の撮影指示を送信する（ステップＳ４０１）。
【００３２】
サーバ１３０は、操作端末１２０から送信された撮影指示を受信したか否かを判別し（ステップＳ４０２）、撮影指示を受信したときは（ステップＳ４０２でＹＥＳ）、受信した撮影指示が撮影開始指示か否かを判別する（ステップＳ４０３）。この判別の結果、撮影開始指示でないときは（ステップＳ４０３でＮＯ）、図５のステップＳ４０９へ進む一方、撮影開始指示であるときは（ステップＳ４０３でＹＥＳ）、サーバ１３０内のハードディスク２０９に記憶されている後述する図６のカメラワークテーブル６００（指示情報記憶手段）を参照し、これに基づいて各ビデオカメラ１００ａ〜１００ｆにそれぞれ所定の撮影動作指示（撮影指示）を送信する（ステップＳ４０４）。各ビデオカメラ１００ａ〜１００ｆは、受信した撮影動作指示に基づいて撮影を開始し（ステップＳ４０５）、撮影した画像データや音声データ等を撮影情報として直接サーバ１３０に順次送信する（ステップＳ４０６）。
【００３３】
次に、サーバ１３０は、ビデオカメラ１００ａ〜１００ｆから送信された撮影情報をネットワーク１５０を介して受信すると（ステップＳ４０７）、ビデオカメラ１００ａ〜１００ｆ毎に順次データベース１４０に保存して（ステップＳ４０８）、ステップＳ４０２へ戻る。
【００３４】
図５において、サーバ１３０は、操作端末１２０から受信した撮影指示が撮影停止指示か否かを判別し（ステップＳ４０９）、撮影停止指示でないときは（ステップＳ４０９でＮＯ）、ステップＳ４１２へ進む一方、撮影停止指示であるときは（ステップＳ４０９でＹＥＳ）、各ビデオカメラ１００ａ〜１００ｆにそれぞれ撮影停止指示を送信する（ステップＳ４１０）。
【００３５】
各ビデオカメラ１００ａ〜１００ｆは、サーバ１３０から撮影停止指示を受信すると、撮影を停止すると共に撮影情報の送信を停止する（ステップＳ４１１）。
【００３６】
一方、サーバ１３０は、操作端末１２０から受信した撮影指示が撮影終了指示か否かを判別し（ステップＳ４１２）、撮影終了指示でないときは（ステップＳ４１２でＮＯ）、ステップＳ４０２へ戻る一方、撮影終了指示であるときは（ステップＳ４１２でＹＥＳ）、各ビデオカメラ１００ａ〜１００ｆにそれぞれ撮影終了指示を送信する（ステップＳ４１３）。
【００３７】
各ビデオカメラ１００ａ〜１００ｆは、サーバ１３０から撮影終了指示を受信すると、撮影を終了すると共に撮影情報の送信を終了し（ステップＳ４１４）、本処理を終了する。
【００３８】
図６は、図４のステップＳ４０４において利用されるカメラワークテーブル６００の概略を示す図である。
【００３９】
図６において、カメラワークテーブル６００には、ネットワーク１５０に接続された全てのビデオカメラ１００ａ〜１００ｆ（カメラＡ〜Ｆ）に対する所定の撮影指示に応じた撮影動作が予め設定されている。ユーザが操作端末１２０上のタッチパネル３００を操作して所定の撮影指示、例えば、「入場」という撮影指示を入力すると、ビデオカメラ１００ａ〜１００ｆがサーバ１３０から受信したカメラワークテーブル６００に基づく「入場」時の撮影動作をそれぞれ実行する。これにより、例えば、カメラＡ（ビデオカメラ１００ａ）が図７に示すような新郎新婦のズーム撮影を行い、カメラＢ（ビデオカメラ１００ｂ）が図８に示すような新郎新婦のワイド撮影を行う。
【００４０】
ここで、カメラワークテーブル６００における「全体」とは、ビデオカメラがイベント会場（ここでは、結婚披露宴会場）全体を撮影する撮影動作である。全体を撮影する撮影動作としては、ビデオカメラが装着された基台をモータ等により回転させる等が挙げられる。「順次」とは、イベント会場を図９に示すようにＡＲＥＡ０〜２３に分け、所定の場所をポイント０〜８として指定し、図１０に示す順次撮影テーブルの順序で撮影を行う撮影動作である。図１０では、ポイント１→ポイント２→・・・→ＡＲＥＡ１の順に撮影するように設定されている。
【００４１】
次に、図１の撮影システムにおけるバックアップ処理を図１１及び図１２を参照して説明する。
【００４２】
図１１は、図１の撮影システムにおけるバックアップ処理を示すフローチャートであり、ステップＳ４０７とＳ４０８の間にバックアップ処理が行われる（図示せず）。本処理は、サーバ１３０内のＣＰＵ２０１によりＲＯＭ２０３又はハードディスク２０９から読み出されたプログラムに基づいて実行される。
【００４３】
図１１において、まず、サーバ１３０内のＣＰＵ２０１は、ネットワーク１５０に接続されたビデオカメラ１００ａ〜１００ｆのうちの少なくとも１つに障害が発生したか否かを判別する（ステップＳ１１０１）。障害とは、ビデオカメラ自体の故障やバッテリー不足、ＬＡＮケーブルの接続不良等を含む。障害の検知は、障害が発生すると画像が送られてこないことや送信されてきた画像に何も映っていないこと等により行う。
【００４４】
ステップＳ１１０１の判別の結果、障害が発生したときは（ステップＳ１１０１でＹＥＳ）、障害が発生していない各ビデオカメラに後述する図１２のバックアップテーブル１２０１に基づいて所定の撮影指示が送信される（ステップＳ１１０２）。バックアップテーブル１２０１内の数字は、各ビデオカメラの優先度を示す。例えば、「入場」においては優先度の高い順にカメラＤ（ビデオカメラ１００ｄ）、カメラＢ（ビデオカメラ１００ｂ）、カメラＡ（ビデオカメラ１００ａ）、・・・、カメラＦ（ビデオカメラ１００ｆ）となっている。ステップＳ１１０２では、障害が発生したビデオカメラ（例えば、カメラＣ）より優先度の低いビデオカメラがあった場合、その中で一番優先度の低いもの（カメラＦ）を選択し、選択されたビデオカメラに障害の発生したビデオカメラに代えて撮影を行うように撮影指示を送信する。障害発生時の代用ビデオカメラの選択については、障害が発生したビデオカメラの撮影方向に最も近いビデオカメラが優先されるように設定してもよいし、障害発生時用の代用ビデオカメラを予め用意してもよい。優先度は、図示に限らず、複数の条件によって設定されていてもよい。
【００４５】
ステップＳ１１０３では、ＣＰＵ２０１が障害が除去されたか否かを判別し、障害が除去されたときは（ステップＳ１１０３でＹＥＳ）、障害前の撮影動作に戻すためにカメラワークテーブル６００に基づく撮影指示を各ビデオカメラに送信し（ステップＳ１１０４）、本処理を終了する。
【００４６】
本処理により、複数のビデオカメラのうちの少なくとも１台になんらかの障害が発生して撮影が継続できない場合でも、バックアップテーブル１２０１に基づく優先度に応じて、障害が発生していないビデオカメラが撮影を継続するので、障害発生による影響を受けることなく、撮影を行うことができる。また、障害が発生すると画像が送られてこないことや送信されてきた画像に何も映っていないこと等で簡単に障害発生が検知できるので、高度な技術を導入することなく容易に障害発生を検知することができ、本システムの導入時コストや維持コストを軽減することができる。
【００４７】
上記第１の実施の形態によれば、操作端末１２０から撮影指示を受信したサーバ１３０が、結婚披露宴等のイベント会場に予め設置された複数のビデオカメラ１００ａ〜１００ｆに対してカメラワークテーブル６００に基づく撮影動作の指示をネットワーク１５０を介して送信し、各ビデオカメラ１００ａ〜１００ｆにそれぞれ所定の撮影動作を実行させるので、結婚披露宴等のイベントにおいて複数のカメラマンを雇うことなく多方向から多彩な撮影ができ、イベント経費を削減することができる。また、多方向からの多彩な撮影が可能になることで、さまざまな画像編集が可能となり、顧客の要望に沿った動画像や静止画像を作成することができる。
【００４８】
また、操作端末１２０からの撮影指示に応じて各ビデオカメラ１００ａ〜１００ｆが実行する撮影動作を予めカメラワークテーブル６００に設定し、操作端末１２０上のタッチパネル３００を操作することにより撮影開始、停止、及び終了等が可能となり、操作ミスを低減することができる。また、操作を容易にすることで誰でも操作が可能となる。
【００４９】
更に、ビデオカメラ１００ａ〜１００ｆにより撮影された画像データや音声データ等の撮影情報を順次サーバ１３０に送信することにより、一度に送信するデータ量が減り、送受信の負荷分散が可能になる。また、撮影情報の即時使用（配信等）が可能となる。
【００５０】
また、複数のビデオカメラ１００ａ〜１００ｆのうちの少なくとも１つに故障等の障害が発生した場合、障害が発生していないビデオカメラにバックアップテーブル１２０１に基づく所定の撮影指示を送信し、撮影を継続するので、やり直しのきかない撮影でも大事な場面を取りこぼすことなく撮影することができる。
【００５１】
（第２の実施の形態）
本発明の第２の実施の形態に係る撮影システムを図１３〜図１５を参照して説明する。本第２の実施の形態では、上記第１の実施の形態における同一機能を有する構成要素には同一符号を付す。
【００５２】
図１３は、本発明の第２の実施の形態に係る撮影システムの全体構成を示す図である。
【００５３】
図１３において、本撮影システムは、複数のビデオカメラ１００ａ〜１００ｆと、該ビデオカメラ１００ａ〜１００ｆにそれぞれケーブルを介して接続されたパーソナルコンピュータ（以下、「クライアント」という。）１１０ａ〜１１０ｆと、操作端末１２０と、サーバ１３０と、サーバ１３０に接続された記憶装置から成るデータベース１４０とを備える。
【００５４】
ビデオカメラ１００ａ〜１００ｆは、それぞれが被写体を音声を含む動画や静止画としてズーム／ワイド撮影する機能を備える（撮影手段）。また、ビデオカメラ１００ａ〜１００ｆは、それぞれがネットワーク１５０に接続して操作端末１２０やサーバ１３０と通信を行うための通信インターフェースを備え、撮影した画像データや音声データ等の撮影情報をサーバ１３０に送信することができる。更に、ビデオカメラ１００ａ〜１００ｆは、少なくとも磁気テープやメモリカード等の記憶媒体又はハードディスク等の記憶装置（記憶手段）を備え、撮影した撮影情報を該記憶媒体等に記憶する。
【００５５】
クライアント１１０ａ〜１１０ｆは、上述した図１のサーバ１３０と同じ構成要素（図２）を有し、ＣＰＵ２０１がＲＯＭ２０３又はハードディスク２０９に記憶された所定のプログラムを読み出して後述する図１４及び図１５に示す処理を実行する。また、クライアント１１０ａ〜１１０ｆは、それぞれがハードディスク２０９に上述した図６のカメラワークテーブル６００を記憶している。
【００５６】
図１４及び図１５は、図１３の撮影システムにおける撮影処理を示すフローチャートである。本処理は、各クライアント１１０ａ〜１１０ｆ内のＣＰＵ２０１によりＲＯＭ２０３又はハードディスク２０９から読み出されたプログラムに基づいて、操作端末１２０、サーバ１３０、及びビデオカメラ１００ａ〜１００ｆと協働して実行される。
【００５７】
図１４において、操作端末１２０は、図３に示すタッチパネル３００上からユーザにより入力された所定の撮影指示をネットワーク１５０を介して各クライアント１１０ａ〜１１０ｆに送信する（ステップＳ１４０１）。
【００５８】
各クライアント１１０ａ〜１１０ｆは、操作端末１２０から送信された撮影指示を受信したか否かを判別し（ステップＳ１４０２）、撮影指示を受信したときは（ステップＳ１４０２でＹＥＳ）、受信した撮影指示が撮影開始指示か否かを判別する（ステップＳ１４０３）。この判別の結果、撮影開始指示でないときは（ステップＳ１４０３でＮＯ）、ステップＳ１４０６へ進む一方、撮影開始指示であるときは（ステップＳ１４０３でＹＥＳ）、各クライアント内のハードディスク２０９にそれぞれ記憶されている図６のカメラワークテーブル６００を参照し、これに基づいて各ビデオカメラ１００ａ〜１００ｆにそれぞれ所定の撮影動作指示（撮影指示）を送信する（ステップＳ１４０４）。ここで、撮影動作指示として「順次」（順次撮影）の指示が送信された場合は、ビデオカメラが図１０に示す順次撮影テーブルの順序で撮影を行う。各ビデオカメラ１００ａ〜１００ｆは、受信した撮影動作指示に基づいて撮影を開始し、撮影した画像データや音声データ等を撮影情報として不図示の記憶媒体等に記憶する（ステップＳ１４０５）。
【００５９】
次に、各クライアント１１０ａ〜１１０ｆは、操作端末１２０から受信した撮影指示が撮影停止か否かをそれぞれが判別し（ステップＳ１４０６）、撮影停止でないとき（ステップＳ１４０６ＮＯ）、図１５のステップＳ１４０９へ進む一方、撮影停止指示であるときは（ステップＳ１４０６でＹＥＳ）、各ビデオカメラ１００ａ〜１００ｆにそれぞれ撮影停止指示を送信する（ステップＳ１４０７）。
【００６０】
各ビデオカメラ１００ａ〜１００ｆは、クライアント１１０ａ〜１１０ｆからそれぞれ撮影停止指示を受信すると、撮影を停止すると共に撮影情報の記憶を停止する（ステップＳ１４０８）。
【００６１】
図１５において、各クライアント１１０ａ〜１１０ｆは、操作端末１２０から受信した撮影指示が撮影終了指示か否かを判別し（ステップＳ１４０９）、撮影終了指示でないときは（ステップＳ１４０９でＮＯ）、ステップＳ１４０２へ戻る一方、撮影終了指示であるときは（ステップＳ１４０９でＹＥＳ）、各ビデオカメラ１００ａ〜１００ｆにそれぞれ撮影終了指示を送信する（ステップＳ１４１０）。
【００６２】
各ビデオカメラ１００ａ〜１００ｆは、クライアント１１０ａ〜１１０ｆからそれぞれ撮影終了指示を受信すると、撮影を終了すると共に撮影情報の記憶を終了し（ステップＳ１４１１）、記憶した撮影情報をクライアント１１０ａ〜１１０ｆ及びネットワーク１５０を介してサーバ１３０に一括送信する（ステップＳ１４１２）。サーバ１３０は、各ビデオカメラ１００ａ〜１００ｆから送信された撮影情報を受信すると（ステップＳ１４１３）、ビデオカメラ１００ａ〜１００ｆ毎にデータベース１４０に保存して（ステップＳ１４１４）、本処理を終了する。なお、本実施の形態では、各ビデオカメラ１００ａ〜１００ｆが撮影終了指示を受信すると撮影を終了すると共に撮影情報の記憶を終了し（ステップＳ１４１１）、記憶した撮影情報をサーバ１３０に一括送信（ステップＳ１４１２）しているが、図示しないが操作端末１２０に画像送信ボタンがあり、該画像送信ボタンにより該操作端末１２０から送信された画像送信指示を受信して、初めて画像一括送信が行われるようにしてもよいのは云うまでもない。
【００６３】
また、ステップＳ１４１２の撮影情報の送信は、操作端末１２０に限られず、クライアント１１０ａ〜１１０ｆ、サーバ１３０、又はネットワーク１５０に接続可能なＰＤＡ等の外部機器からの指示に基づいて実行されてもよい。更に、ビデオカメラ１００ａ〜１００ｆは、クライアント１１０ａ〜１１０ｆを介さずに無線ＬＡＮ等の他のネットワークを介してサーバ１３０に直接、撮影情報を送信するようにしてもよい。
【００６４】
また、図６のカメラワークテーブル６００は、サーバ１３０内の不図示のハードディスクに記憶されていてもよい。
【００６５】
上記第２の実施の形態によれば、結婚披露宴等のイベント会場に予め複数のビデオカメラ１００ａ〜１００ｆを設置し、クライアント１１０ａ〜１１０ｆが操作端末１２０から撮影指示を受信すると、カメラワークテーブル６００に基づいて当該ビデオカメラ１００ａ〜１００ｆに所定の撮影動作を実行させて撮影を行うので、複数のカメラマンを雇うことなく多方向から多彩な撮影ができ、イベント経費を削減することができる。また、多方向からの多彩な撮影が可能になることで、さまざまな画像編集が可能となり、顧客の要望に沿った画像を作成することができる。
【００６６】
上記第１及び第２の実施の形態では、上記撮影システムを結婚式の披露宴に利用しているが、これに限らず、入学式、卒業式、及び各種パーティ等のイベントに適用してもよいことは云うまでもない。
【００６７】
ビデオカメラ１００ａ〜１００ｆは、この６台に限られず複数あってもよく、ズーム／ワイド撮影機能の他にパン／チルト機能をそれぞれ有し、撮影指示に基づいてパン／チルト動作を行うようにしてもよい。また、無線等による追尾、順次撮影等のカメラワークを行ってもよい。
【００６８】
上記第１の実施の形態において、ビデオカメラ１００ａ〜１００ｆ、操作端末１２０、及びサーバ１３０は、ネットワーク１５０を介して互いに接続されているが、無線ＬＡＮ等により接続されていてもよい。また、上記第２の実施の形態における撮影システムにおいて、ビデオカメラ１００ａ〜１００ｆ、クライアント１１０ａ〜１１０ｆ、操作端末１２０、及びサーバ１３０が互いに無線ＬＡＮやblue tooth（登録商標）等により接続されていてもよい。
【００６９】
本発明は、上述した実施の形態の機能を実現するソフトウェアのプログラム（図４、図５、図１４、及び図１５のフローチャートに対応するプログラム）を、コンピュータ又はＣＰＵに供給し、そのコンピュータ又はＣＰＵが該供給されたプログラムを読み出して実行することによっても本発明の目的が達成されることは云うまでもない。
【００７０】
この場合、上記プログラムは、該プログラムを記憶した記憶媒体から直接、又はインターネット、商用ネットワーク、若しくはローカルエリアネットワーク等に接続された不図示の他のコンピュータやデータベース等からダウンロードすることにより供給される。
【００７１】
また、上記プログラムは、上述した実施の形態の機能をコンピュータで実現することができればよく、その形態は、オブジェクトコード、インタプリタにより実行されるプログラム、ＯＳに供給されるスクリプトデータ等の形態を有するものでもよい。上記プログラムによる受信はアプリケーション側で行っていることを考慮している。
【００７２】
更にまた、上述した実施の形態の機能を実現するソフトウェアのプログラムを記憶した記憶媒体をコンピュータに供給し、そのコンピュータ又はＣＰＵが該記憶媒体に格納されたプログラムを読み出して実行することによっても、本発明の目的が達成されることは云うまでもない。
【００７３】
上述した実施の形態では、プログラムはＲＯＭ２０３に格納されているが、ハードディスク２０９に格納さていてもよく、プログラムを供給する記憶媒体として、例えば、ＲＡＭ、ＮＶ−ＲＡＭ、ハードディスク、フレキシブルディスク、光ディスク、光磁気ディスク、ＭＯ、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード、他のＲＯＭ等の上記プログラムを記憶できるものであればよい。
【００７４】
【発明の効果】
以上詳細に説明したように、本発明によれば、結婚披露宴等のイベントにおいて複数のカメラマンを雇うことなく多方向から多彩な撮影ができ、イベント経費を削減することができる。
【００７５】
また、撮影装置に故障等の障害が発生した場合でも、他の撮影装置が、障害が発生した撮影装置に代わって撮影を行うので、やり直しのきかない撮影でも大事な場面を取りこぼすことなく撮影することができる。
【図面の簡単な説明】
【図１】本発明の第１の実施の形態に係る撮影システムの全体構成を示す図である。
【図２】図１におけるサーバ１３０の内部構成を示すブロック図である。
【図３】図１における操作端末１２０上のタッチパネルの概略を示す図である。
【図４】図１の撮影システムにおける撮影処理を示すフローチャートである。
【図５】図１の撮影システムにおける撮影処理を示すフローチャートである。
【図６】図４のステップＳ４０４において利用されるカメラワークテーブル６００の概略を示す図である。
【図７】図１におけるビデオカメラ１００ａ〜１００ｆのズーム撮影時の画像を示す図である。
【図８】図１におけるビデオカメラ１００ａ〜１００ｆのワイド撮影時の画像を示す図である。
【図９】図１の撮影システムが利用されるイベント会場内のレイアウト図である。
【図１０】図６における順次撮影テーブルの概略を示す図である。
【図１１】図１の撮影システムにおけるバックアップ処理を示すフローチャートである。
【図１２】図１１のステップＳ１１０２におけるバックアップテーブルの概略を示す図である。
【図１３】本発明の第２の実施の形態に係る撮影システムの全体構成を示す図である。
【図１４】図１３の撮影システムにおける撮影処理を示すフローチャートである。
【図１５】図１３の撮影システムにおける撮影処理を示すフローチャートである。
【符号の説明】
１００ａ〜１００ｆ  デジタルビデオカメラ
１１０ａ〜１１０ｆ  クライアント
１２０  操作端末
１３０  サーバ
１４０  データベース
１５０  ネットワーク
３００  タッチパネル
【図１】
2004194203.tif 000003
【図２】
2004194203.tif 000004
【図３】
2004194203.tif 000005
【図４】
2004194203.tif 000006
【図５】
2004194203.tif 000007
【図６】
2004194203.tif 000008
【図７】
2004194203.tif 000009
【図８】
2004194203.tif 000010
【図９】
2004194203.tif 000011
【図１０】
2004194203.tif 000012
【図１１】
2004194203.tif 000013
【図１２】
2004194203.tif 000014
【図１３】
2004194203.tif 000015
【図１４】
2004194203.tif 000016
【図１５】
2004194203.tif 000017